(57)【要約】【課題】小型化で混在する遊技球及び遊技メダルを個別に計数することができる遊技媒体計数装置、遊技媒体蓄留部の大きさを確保することできる遊技媒体払出装置を提供する。【解決手段】ホッパ部２２下部に傾斜して配置され、回転中心の周囲に遊技球３１だけを通過させる複数の遊技球仕分穴２５が、外周に遊技メダル３２を横臥状態で保持する遊技メダル保持穴２６が形成された回転盤２３と、遊技メダル保持穴２６に保持されて搬送された遊技メダル３２が没入される遊技メダル排出口４５と、遊技メダル保持穴形成個所側への遊技メダルの通過を許容する一方遊技球の通過を禁止するホッパ部２２の下端縁部２２ａと、回転盤の仕分穴を通過した遊技球を計数する遊技球計数機４３と、遊技メダル排出口から排出された遊技メダルを計数する遊技メダル計数機４４とを備える。【選択図】図３
2010115336.tif 000002
【特許請求の範囲】
【請求項１】
遊技媒体である遊技球及び遊技メダルを混在させて収容可能なホッパ部と、
前記ホッパ部内に回転駆動可能、且つ傾斜して配置され、回転中心の周囲に前記遊技球だけを上面側から下面側へ通過させる複数の遊技球仕分穴が開設されると共に、前記球仕分穴群の外周に前記遊技メダルを横臥状態で保持する遊技メダル保持穴が形成された回転盤と、
該回転盤の外周縁の外側に配置され、前記遊技メダル保持穴に保持されて周方向に移動する前記遊技メダルを前記ホッパ部外に排出させる遊技メダル排出口部と、
前記遊技球仕分穴群の形成領域と前記遊技メダル保持穴群の形成領域との境界付近に配置され、前記遊技メダル保持穴形成領域側へ前記遊技メダルだけを進入可能とする遊技球通過阻止部材と、
前記球仕分穴を通過した遊技球を計数する遊技球計数装置と、
前記遊技メダル排出口から排出された遊技メダルを計数する遊技メダル計数装置と、
を備えたことを特徴とする遊技媒体計数装置。
【請求項２】
前記回転盤の回転速度を、前記ホッパ部に遊技球、及び遊技メダルが投入された当初から時間が経過するに連れて増加するよう制御したことを特徴とする請求項１記載の遊技媒体計数装置。
【請求項３】
前記回転盤は、その回転方向を正逆方向に交互に変更されることを特徴とする請求項１又は２記載の遊技媒体計数装置。
【請求項４】
請求項１乃至３のいずれか一項記載の遊技媒体計数装置と、
前記遊技球計数装置によって計数された遊技球を払い出す遊技球払出装置と、
前記遊技メダル計数装置による計数された遊技メダルを払い出す遊技メダル払出装置と、
を備えたことを特徴とする遊技媒体払出装置。
【請求項５】
前記遊技球計数装置で計数された遊技球の数量に基づいて交換可能な遊技メダルの数量、及び、前記遊技メダル計数装置で計数された遊技メダルの数量に基づいて交換可能な遊技球の数量を計算する遊技媒体交換演算手段を備え、
前記遊技球払出装置は、前記遊技媒体交換演算手段の計算値に基づいて遊技球を払い出し、
前記遊技メダル払出装置は、前記遊技媒体交換演算手段の計算値に基づいて遊技メダルを払い出すことを特徴とする請求項４記載の遊技媒体払出装置。
【発明の詳細な説明】
【技術分野】
【０００１】
本発明は、遊技球を使用する遊技機と遊技メダルを使用する遊技機を併設した遊技場において、両遊技媒体の計数、及び両遊技媒体間の交換を一つの装置構成によって実現することができる遊技媒体計数装置、及び、遊技媒体払出装置に関する。
【背景技術】
【０００２】
近年、遊技球を使用するパチンコ遊技機と、遊技メダルを使用する遊技機、例えばパチスロが同じ場内に設置されている遊技場が増えている。このような遊技場においては、遊技球の計数を行う遊技球計数機と、遊技メダルの計数を行う遊技メダル計数機とが個別に設置されていることが一般的である。
遊技場において、遊技者がパチンコ遊技機での遊技を終了してからパチスロでの遊技に移行しようとする場合に、パチンコ遊技機での遊技終了時に残った遊技球がある場合には、この遊技球を遊技メダルに交換してもらう必要がある。この場合、遊技者は手持ちの遊技球を前記遊技球計数機に投入して計数し、遊技球計数機から出力されたレシート、磁気カード等の記録媒体を精算カウンタに持参して係員に渡す。係員は、読取機によって記録媒体を読み取り、金銭価格に換算してその金額に相当する景品を遊技者に手渡す。遊技者はこの景品を景品交換所に持参して現金を取得し、この現金を保持して遊技場に戻ってメダル払出し装置に投入することにより初めてメダルを得ることができる。このような煩雑な遊技媒体交換のための作業は、遊技メダルから遊技球への交換に際しても同様であり、遊技メダルの計数、記録媒体の発行、記録媒体の記録に基づく遊技球の発行が行われる。
遊技媒体の交換処理の手間を省くため、様々な工夫がなされている。特許文献１には、既設の計数機で発行された記録媒体に記録された遊技媒体数を読み取る自動読取部と、交換先の遊技媒体への交換数、及び余り遊技媒体数を演算する交換演算部と、交換先の遊技媒体を払い出す払出部と、余り遊技媒体処理部とからなり、パチンコ玉用の自動計数部とメダル用の自動計数部を装置内部に組み込み、他方の遊技媒体への交換を可能とした遊技媒体交換装置が記載されている。
【特許文献１】特開２００２−２８２５２８公報
【発明の開示】
【発明が解決しようとする課題】
【０００３】
しかしながら、従来の遊技媒体交換装置にあっては、遊技媒体の計数は遊技球、遊技メダルごとに専用の計数機で行う必要があり煩雑であった。また、遊技者が遊技球、遊技メダルの両方を保持している場合、これらの計数を行うには、夫々別個の計数機で行わなければならず煩雑であった。
このような状況に鑑みて、遊技球、遊技メダルの両者を一度に計数する装置を提供したいという要望もあるが、遊技球と遊技メダルとでは、その形状、大きさ、質量等が違うため、一つの装置構成にはできないという常識があった。あえて、２つの専用装置を単純に一つにまとめることも可能であろうが、この場合装置が大型化することとなる他、装置の小型化を無理に図れば個々の遊技媒体の貯留部、例えば計数後払い出しのために遊技メダル貯留部、遊技球貯留部のサイズが小型化して収納個数が少なくなるなり、遊技媒体を頻繁に補充せねばならないという問題が生じる。
本発明は上記に鑑みてなされたものであり、小型化を図ることができると共に、遊技媒体別の計数のみならず、混在する遊技球及び遊技メダルを個別に計数することができる遊技媒体計数装置、及びこの遊技媒体計数装置を備え遊技媒体蓄留部の大きさを確保することできる遊技媒体払出装置を提供することを目的とする。
【課題を解決するための手段】
【０００４】
上記目的を達成するため、請求項１の発明は、遊技媒体である遊技球及び遊技メダルを混在させて収容可能なホッパ部と、このホッパ部内に回転駆動可能、且つ傾斜して配置され、回転中心の周囲に前記遊技球だけを上面側から下面側へ通過させる複数の遊技球仕分穴が開設されると共に、前記球仕分穴群の外周に前記遊技メダルを横臥状態で保持する遊技メダル保持穴が形成された回転盤と、該回転盤の外周縁の外側に配置され、前記遊技メダル保持穴に保持されて周方向に移動する前記遊技メダルが排出される遊技メダル排出口部と、前記遊技球仕分穴群の形成領域と前記遊技メダル保持穴群の形成領域との境界付近に配置され、前記遊技メダル保持穴形成領域側へ前記遊技メダルだけを進入可能とする遊技球通過阻止部材と、前記球仕分穴を通過した遊技球を計数する遊技球計数装置と、前記遊技メダル排出口から排出された遊技メダルを計数する遊技メダル計数装置と、を備えたことを特徴とする遊技媒体計数装置である。
【０００５】
請求項２の発明は、請求項１記載の遊技媒体計数装置において、前記回転盤は、その回転速度が前記ホッパ部に遊技球、及び遊技メダルが投入された当初から時間が経過するにつれ増加するよう回転駆動されることを特徴とする。
請求項３の発明は、請求項１又は２記載の遊技媒体計数装置において、前記回転盤は、その回転方向を正逆方向に交互に変更されることを特徴とする。
請求項４の発明は、請求項１乃至３のいずれか一項記載の遊技媒体計数装置と、前記遊技球数装置によって計数された遊技球を払い出す遊技球払出装置と、前記遊技メダル計数装置による計数された遊技メダルを払い出す遊技メダル払出装置と、を備えることを特徴とする遊技媒体払出装置である。
請求項５の発明は、請求項４記載の遊技媒体払出装置において、前記遊技球計数装置で計数された遊技球の数量に基づいて交換可能な遊技メダルの数量、及び、前記遊技メダル計数装置で計数された遊技メダルの数量に基づいて交換可能な遊技球の数量を計算する遊技媒体交換演算手段を備え、前記遊技球払出装置は、前記遊技媒体交換演算手段の計算値に基づいて遊技球を払い出し、前記遊技メダル払出装置は、前記遊技媒体交換演算手段の計算値に基づいて遊技メダルを払い出すことを特徴とする。
【発明の効果】
【０００６】
本発明によれば、ホッパ部内に混合投入された遊技球と遊技メダルは、球仕分穴が開設されると共に上面側にメダル排出口部が配置された回転盤で確実に分離され、他に分離用部材を必要とすることなく遊技媒体計数装置を小型化することができ、また、この遊技媒体計数装置を備える遊技媒体払出装置の遊技媒体蓄留部の大きさを確保することができる。
【発明を実施するための最良の形態】
【０００７】
以下、本発明を実施するための最良の形態に係る遊技媒体払出装置を図面に基づいて説明する。
本実施形態に係る遊技媒体払出装置は、混在する２種類の遊技媒体、即ち混在する遊技球及び遊技メダルを仕分け、分類して夫々計数し、精算するばかりでなく、計数した一方の遊技媒体を他の遊技媒体に交換して発行するものである。即ち、遊技球が投入されたときには、遊技球を計数し、計数された個数の遊技球と等価とされる枚数の遊技メダルを発行する。同様に遊技メダルが投入されたときには、遊技メダルを計数し、計数された枚数の遊技メダルと等価とされる個数の遊技球を発行することができる。また、本遊技媒体払出装置は、前記精算処理及び交換処理においては、処理対象として混在する遊技球及び遊技メダルを仕分け、分類して取り扱うことができる。
【０００８】
図１は本発明の一実施の形態例に係る遊技媒体払出装置の外観を示す斜視図、図２は遊技媒体払出装置からホッパ部を取り外した状態を示す斜視図、図３は図１中のＡ−Ａ線に相当する遊技媒体払出装置の縦断面図である。
遊技媒体払出装置１０は、図１及び図２に示すように、投入された遊技球と遊技メダルとを仕分けて夫々の個数を計数する遊技媒体分別装置２０と、遊技媒体分別装置２０で仕分けられ計数された遊技球を蓄留すると共に指定された個数の遊技球を計数して発行する遊技球払出装置５０と、遊技媒体分別装置２０で仕分けられ計数された遊技メダルを蓄留すると共に指定された枚数の遊技メダルを計数して発行する遊技メダル払出装置８０とを備える。
まず遊技媒体分別装置２０について説明する。遊技媒体分別装置２０は、図１及び図３に示すように、遊技媒体である遊技球３１及び遊技メダル３２が投入される開口２１を備え内径が下方へ向かう程狭くなったホッパ部２２と、ホッパ部２２の下方に回転可能且つ傾斜して配置された略円盤状の回転盤２３と、を備える。回転盤２３は回転軸２４を中心として回転駆動され、また、回転盤２３には遊技球３１の通過を許容する直径寸法を有した遊技球仕分穴２５が回転軸２４の外周に沿って３列例えば内側から６個、９個、１８個、同心円状に開設されると共に、この遊技球仕分穴群の周縁部には遊技メダルが横臥状態で保持される大径の遊技メダル保持穴２６が円周に沿って１列、例えば８個形成されている。
【０００９】
回転盤２３に開設された個々の遊技球仕分穴２５の直径寸法ｄは、遊技球３１の直径寸法ｄ１（図５参照）より若干大きく、遊技メダル３２の直径寸法ｄ２（図６参照）より小さく形成され、遊技球３１だけが通過できるものである。個々の遊技球仕分穴２５の周囲に図示しない突起部を形成し、遊技球３１が遊技球仕分穴２５内に入りやすくすることができる。
回転盤２３の回転軸２４は、駆動用モータ２８の軸部２７に接続され回転駆動される。駆動用モータ２８は、モータ取付部材２９により遊技媒体分別装置２０の本体下部に固定されており、モータ取付部材２９には遊技球仕分穴２５からの遊技球３１が通過する開口部３３が開設されている。なお、図中符号３４、３５は開口部３３を通過して落下してきた遊技球３１を案内する案内部材を示している。開口部３３を通過した遊技球３１は、案内部材３４、３５を経て計数装置である遊技球計数機４３で計数されつつ通過穴３７から遊技球蓄留部３８に排出される。
【００１０】
また、遊技メダル３２のみが進入可能な位置に配置された遊技メダル保持穴２６は、分別対象物としての遊技メダル３２が一個ずつ横臥した状態で入り込むのに十分な大きさに形成され、本例では、円形穴部２６ａが下側に、長円形穴部２６ｂが上側に開設されている。回転盤２３の上面に沿って外周方向へ移動してきた遊技メダルは長円形穴部２６ｂにより捕捉されてその内部に入り込み、その後、長円穴部２６ｂ内をスライド移動して円形穴部２６ａ内に入り込む。
ここで、ホッパ部２２の下端縁部２２ａは遊技球通過阻止部材を形成している。即ち、図３に示すように、ホッパ部２２の下端縁部２２ａは、回転盤２３における遊技球仕分穴２５の形成個所と、遊技メダル保持穴２６の形成個所の境界付近に近接して配置され、隙間４７を形成して遊技球３１の通過を阻止している。
【００１１】
図５は遊技媒体払出装置の遊技球通過阻止部において遊技球の通過が阻止されている状態を示す部分拡大断面図、図６は遊技媒体払出装置の遊技球通過阻止部において遊技メダルが通過する状態を示す部分拡大断面図である。本例では、下端縁部２２ａと回転盤２３との間の隙間４７の寸法ｔは、遊技メダルの厚さ寸法ｔ１よりやや大きく、遊技球３１の直径寸法ｄ１より小さく設定されている。従って、図５に示すように遊技球３１の通過は阻止される一方、図６に示すように遊技メダル３２は通過が許容される。なお、遊技球通過阻止部材としてホッパ部２２とは別の部材を配置することができる。
回転盤２３上に積載された遊技メダル３２は、回転盤２３の回転による遠心力及び自重により隙間４７から回転盤２３の遊技メダル保持穴２６に入り込み、回転盤２３の回転により、遊技メダル排出口４５の近傍まで搬送される。
【００１２】
本例では、回転盤２３の下面には、遊技メダル保持穴２６に保持された遊技メダルを遊技メダル排出口４５に押し出す押出盤４１が同軸状に配置され且つ固定されている。図４は回転盤と押出盤を示す平面図である。押出盤４１は、遊技メダル保持穴２６に対応して放射状に配置された８本の腕部４２を備える板状部材である。隣接する腕部４２間にはメダルを保持する凹所が形成されている。遊技メダル保持穴２６内に入り込んだ遊技メダルはその直下に配置された凹所内に落ち込む。押出盤４１が回転盤２３と共に回転して、メダルを保持した凹所が遊技メダル排出口４５に至ったとき、腕部４２間の凹所内に位置する遊技メダル３２は遠心力により押出盤４１の腕部４２に沿って外径方向へ移動し遊技メダル排出口４５まで押し出される。押し出された遊技メダル３２は、計数装置である遊技メダル計数機４４で計数され遊技メダル排出口４５を経て遊技メダル払出装置８０に排出される。なお、押出盤４１は図２及び図３においては図示を省略している。
【００１３】
また、駆動用モータ２８は、図示していない制御部（ＣＰＵ）の制御により回転制御される。本例では、回転盤２３は、遊技媒体の投入直後は比較的ゆっくり回転し、所定の時間経過後にその回転速度を速めることが仕分け、分類効率上好ましい。即ち、低回転時においては遊技球仕分穴２５によって遊技球３１だけを遊技メダル３２から選別して落下させる一方で、その後の高回転時には回転盤３２上に残った遊技メダル３２を遠心力で遊技メダル保持穴２６に保持させることができ効率良く遊技媒体を分別できる。また、回転盤２３の回転方向は一方向とすることなく、適宜反対方向に回転方向を変更し、遊技媒体を適度に攪拌して分別効率を向上させることができる。これらの速度の変更、回転方向の変更は、予め試験を行うことにより最適な状態を選択することができる。
【００１４】
図７は遊技媒体払出装置における遊技媒体の移送経路を示す模式図である。ホッパ部２２内に混在した状態で投入された遊技球３１及び遊技メダル３２は、回転盤２３の上面に一旦蓄留される。この状態で遊技球仕分穴２５を通過した遊技球３１は、開口部３３を経て案内部材３４、３５に案内されて遊技媒体分別装置２０の底壁３６に開設された通過穴３７を通過する過程で遊技球計数機４３で計数されつつ遊技球蓄留部３８に落下し蓄留される（矢印Ａ）。このとき、遊技メダル３２は遊技球仕分穴２５を通過できないため回転盤上に残留し、遊技球３１はホッパ部２２の下端縁部２２ａと回転盤２３との間には入り込めないため、遊技球３１が遊技メダル保持穴２６に入り込むことはない。
また、ホッパ部２２の下端縁部２２ａと回転盤２３との隙間４７を通り抜けた遊技メダル３２は、遊技メダル保持穴２６内に入り込んで保持され、回転盤２３と押出盤４１の回転により遊技メダル排出口４５近傍まで搬送され、押出盤４１で押し出され遊技メダル排出口４５から遊技メダル払出装置８０に排出される（矢印Ｂ）。排出された遊技メダルは、遊技メダル排出口４５に配置された遊技メダル計数機（計数装置）４４によって計数される。
【００１５】
次に、遊技球払出装置５０について説明する。図８は遊技球払出装置の構成を示す模式断面図、図９は遊技球払出装置を示す斜視図、図１０は遊技球払出装置を示す側面図である。遊技球払出装置５０は、上方に配置された遊技球蓄留部３８に蓄留されている遊技球を計数しつつ払い出す遊技球計数払出装置６０を備えている。この遊技球計数払出装置６０は、遊技球蓄留部３８から延びる遊技球搬送経路５１、５２を経て供給される遊技球を制御部からの指示に基づいて計数して図示していない払出ホッパ部に排出する（図７中矢印Ｃ、Ｄ、Ｅで示す経路）。遊技球計数払出装置６０としては公知の装置を使用することができる。本例に係る遊技球計数払出装置６０は、図８及び図９に示すように、円筒状のケース６１内にモータ６２によって回転駆動され遊技球を外周面に設けた凹所内に保持搬送する歯付車６３を配置して構成したものである。本例では、図８に示すように、ケース６１の上部に配置された搬入口６４から供給される遊技球を１個ずつ歯付車６３の歯６３ａ間の凹所内に保持し排出口６５まで（図７矢印Ｅ）搬送するものである。この例では、歯付車６３は、２枚並行に対向配置され遊技球を搬送計数できる枚数を高めている。遊技球計数払出装置６０により払い出された遊技球は遊技球計数機６６で計数される。
遊技メダル払出装置８０は、遊技メダル保持穴８２が開設された回転盤８１と、遊技メダル払出装置８０から払い出されたメダルを計数する図示していない他の遊技メダル計数機を備える。本例では、遊技メダル払出装置８０の回転盤８１は、遊技球仕分穴２５が開設されていない点を除けば、遊技媒体分別装置２０の回転盤２３とほぼ同様の構成を備える。本例における遊技メダル払出装置８０は遊技媒体分別装置２０における遊技メダルの搬送動作と同様の動作により、遊技メダル払出装置８０内に蓄留された遊技メダルを指定枚数だけ排出する（図７矢印Ｆ、Ｇで示した経路）。
【００１６】
次に本例に係る遊技媒体払出装置１０の制御について説明する。本例に係る遊技媒体払出装置１０は、遊技球又は遊技メダルの数量を記録した記録媒体を出力することができる他、投入された遊技媒体と等価となる他種類の遊技媒体を払い出すことができる。記録媒体の払出しに際しては遊技球と遊技メダルの数量を記録し、遊技媒体の交換に際しては、遊技球と遊技メダルとをその貸出価格で等価変換し、遊技球又は、遊技メダルを払い出す。本発明では、遊技球から遊技メダル、遊技メダルから遊技球への交換に対応できるのみならず、遊技メダル及び遊技球が混在して投入された場合にも指定された遊技媒体を払い出すことができる。
なお遊技媒体の交換における交換率は貸出価格での等価交換に限られるものではなく、遊技場ごとに設定された遊技球、遊技メダルの交換率（一般的に換金率という）に倣い、任意に設定されるようにしてもよい。
【００１７】
図１１は遊技媒体払出装置の制御装置を示すブロック図である。本例に係る制御装置９０は、ＣＰＵ、ＲＯＭ、ＲＡＭ等を備え遊技媒体払出装置１０全体を制御する制御部９１と、所定の等価交換プログラムを実行して遊技媒体の等価交換演算を行う交換演算部９２と、遊技媒体の種類、投入数量、払出数量等を表示する表示部９３と、精算、払出遊技媒体の種類を選択するタッチパネルなどからなる選択入力部９４と、記録媒体への入出力を行う磁気カードリーダ／ライタ９５が配置されている。また制御部９１には、遊技球計数機４３、遊技メダル計数機４４、遊技媒体分別装置２０、遊技球計数払出装置６０、遊技メダル払出装置８０が接続されている。
【００１８】
図１２は遊技媒体払出装置の動作を示すフローチャートである。まず、遊技媒体分別装置２０に遊技媒体が投入されると、制御部９１は、遊技媒体分別装置２０の駆動用モータ２８を駆動制御して回転盤２３を所定速度で一定方向に回転させる。これにより、遊技媒体分別装置２０により遊技球と遊技メダルとが分別される。分別された遊技球は遊技球計数機４３で計数され、遊技メダルは遊技メダル計数機４４で計数され、遊技球は遊技球蓄留部３８に蓄留され、遊技メダルは遊技メダル払出装置８０に蓄留される（ステップＳＴ１）。計数された遊技球及び遊技メダルの数量は、遊技媒体の種類と共に表示部９３に表示される。この表示に基づいて遊技者は選択入力部９４から景品交換のため磁気カードへの遊技媒体数量の記録を指定するか、払い出す遊技媒体を指定する（ステップＳＴ２）。磁気カードへの遊技媒体数量の記録が選択された場合（ステップＳＴ３）には、制御部は磁気カードリーダ／ライタ９５を制御して投入された磁気カードに所定の情報を記録する（ステップＳＴ４）。
【００１９】
一方、遊技媒体の払出が指定されると（ステップＳＴ５）、制御部９１は、交換演算部９２で指定及び計数された遊技媒体の数量に基づいて払い出すべき遊技媒体の数量を演算させ（ステップＳＴ６）、この演算結果に基づいて遊技球計数払出装置６０又は遊技メダル払出装置８０を駆動して、指定された遊技媒体を払出ホッパ部に払い出す（ステップＳＴ７）。ここで、遊技球から遊技メダルへの交換に際して、残余の遊技球が発生した場合には、当該遊技媒体を遊技球計数払出装置６０から払い出す処理を行う（ステップＳＴ８）
なお、本例では、遊技媒体の交換に際しては、一方の遊技媒体から他方の遊技媒体に、例えば遊技球から遊技メダルに交換、あるいはその逆の交換が可能である他、双方の遊技媒体が混在する場合でも、指定される遊技媒体、例えば遊技球又は遊技メダルを払い出すことができる。また、磁気カードリーダ／ライタ９５に投入された磁気カードに基づいて新たに遊技媒体を払い出すことができるようにすることもできる。
【図面の簡単な説明】
【００２０】
【図１】実施の形態例に係る遊技媒体払出装置の外観を示す斜視図である。
【図２】遊技媒体払出装置からホッパ部を取り外した状態を示す斜視図である。
【図３】図１中のＡ−Ａ線に相当する遊技媒体払出装置の断面図である。
【図４】回転盤と押出盤と示す正面図である
【図５】遊技媒体払出装置の遊技球通過阻止部で遊技球の通過が阻止されている状態を示す部分拡大断面図である。
【図６】遊技媒体払出装置の遊技球通過阻止部で遊技メダルが通過する状態を示す部分拡大断面図である。
【図７】遊技媒体払出装置における遊技媒体の移送経路を示す模式図である。
【図８】遊技球払出装置を示す模式図である。
【図９】遊技球払出装置を示す斜視図である。
【図１０】遊技球払出装置を示す側面図である。
【図１１】遊技媒体払出装置の制御装置を示すブロック図である。
【図１２】遊技媒体払出装置の作動を示すフローチャートである。
【符号の説明】
【００２１】
１０…遊技媒体払出装置、２０…遊技媒体分別装置、２１…開口、２２ａ…下端縁部、２２…ホッパ部、２２ａ…下端縁部（遊技球通過阻止部材）、２３…回転盤、２４…回転軸、２５…遊技球仕分穴、２６…遊技メダル保持穴、２６ａ…円形穴部、２６ｂ…長円形穴部、２７…軸部、２８…駆動用モータ、２９…モータ取付部材、３１…遊技球、３２…遊技メダル、３３…開口部、３４、３５…案内部材、３６…底壁、３７…通過穴、３８…遊技球蓄留部、４１…押出盤、４２…腕部、４３…遊技球計数機（計数装置）、４４…遊技メダル計数機（計数装置）、４５…遊技メダル排出口、４７…隙間、５０…遊技球払出装置、５１、５２…遊技球搬送経路、６０…遊技球計数払出装置、６１…ケース、６２…モータ、６３…歯付車、６３ａ…歯、６４…搬入口、６５…排出口、６６…遊技球計数機、８０…遊技メダル払出装置、８１…回転盤、８２…遊技メダル保持穴、９０…制御装置、９１…制御部、９２…交換演算部、９３…表示部、９４…選択入力部、９５…磁気カードリーダ／ライタ
【図１】
2010115336.tif 000003
【図２】
2010115336.tif 000004
【図３】
2010115336.tif 000005
【図４】
2010115336.tif 000006
【図５】
2010115336.tif 000007
【図６】
2010115336.tif 000008
【図７】
2010115336.tif 000009
【図８】
2010115336.tif 000010
【図９】
2010115336.tif 000011
【図１０】
2010115336.tif 000012
【図１１】
2010115336.tif 000013
【図１２】
2010115336.tif 000014